【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
関連するトランシーバとの複数の物理リンク（ＰＨＹ）であって、前記ＰＨＹがエキスパンダのポートを成すように構成される、複数の物理リンクと、
前記ポートの各々についてルーティング属性を定義するメモリと、
前記エキスパンダのポートで受信された発見シリアル管理プロトコル（ＳＭＰ）要求を検出するよう動作可能な制御ユニットであって、前記ＳＭＰ要求が、ＲＥＰＯＲＴ  ＳＥＬＦ−ＣＯＮＦＩＧＵＲＡＴＩＯＮ  ＳＴＡＴＵＳコマンドを含む場合、前記ＳＭＰ要求の検出に応答して、前記ポートについての前記ルーティング属性をサブトラクティブ・ルーティングに設定するようさらに動作可能な制御ユニットと
を含むシリアル接続ＳＣＳＩ（ＳＡＳ）エキスパンダ。
【請求項２】
前記制御ユニットは、前記ＳＭＰ要求がＲＥＰＯＲＴ  ＳＥＬＦ−ＣＯＮＦＩＧＵＲＡＴＩＯＮ  ＳＴＡＴＵＳコマンドを含む場合、前記ＳＭＰ要求を受信したポートが、ＳＡＳイニシエータとの通信のために接続されているものと判断する、請求項１に記載のＳＡＳエキスパンダ。
【請求項３】
前記制御ユニットが、ＲＥＰＯＲＴ  ＳＥＬＦ−ＣＯＮＦＩＧＵＲＡＴＩＯＮ  ＳＴＡＴＵＳメッセージを直接結合されたエキスパンダに送信するようさらに動作可能である、請求項１に記載のＳＡＳエキスパンダ。
【請求項４】
前記制御ユニットが、前記ＳＡＳエキスパンダの他のポートを介して、ＳＭＰ  ＩＤＥＮＴＩＦＹアドレス・フレームを伝搬するようさらに動作可能であり、前記伝搬されたＳＭＰ  ＩＤＥＮＴＩＦＹアドレス・フレームに応答し、受信したＩＤＥＮＴＩＦＹアドレス・フレームに基づいて、前記他のポートについての前記ルーティング属性をテーブル・ルーティングに設定するべきか、またはダイレクト・ルーティングに設定するべきかを決定するようさらに動作可能である、請求項１に記載のＳＡＳエキスパンダ。
【請求項５】
前記制御ユニットが、前記受信したＩＤＥＮＴＩＦＹアドレス・フレームに基づいて、前記他のポートに結合されたＳＡＳデバイスがＳＡＳエキスパンダであるか、または端末装置であるかを決定するようさらに動作可能であり、前記ＳＡＳデバイスがエキスパンダである場合は前記他のポートについての前記ルーティング属性をテーブル・ルーティングに設定するよう動作可能であり、前記ＳＡＳデバイスが端末装置である場合は前記他のポートについての前記ルーティング属性をダイレクト・ルーティングに設定するよう動作可能である、請求項４に記載のＳＡＳエキスパンダ。
【請求項６】
前記制御ユニットが、１つまたは複数のＩＤＥＮＴＩＦＹアドレス・フレームにおいて受信した情報に基づいて、ルーティング・テーブルをポピュレートし、前記ルーティング・テーブルを調べることによって、テーブル・ルーティングに設定されたポートとの接続を確立するようさらに動作可能である、請求項４に記載のＳＡＳエキスパンダ。
【請求項７】
前記制御ユニットが、前記ＳＡＳエキスパンダの電源投入時であって、かつ前記ＳＭＰ要求の受信前に、前記ＳＡＳエキスパンダの全てのポートをテーブル・ルーティングに設定するようさらに動作可能である、請求項１に記載のＳＡＳエキスパンダ。
【請求項８】
関連するトランシーバとの複数の物理リンク（ＰＨＹ）を含み、前記ＰＨＹがポートを成すように構成されたシリアル接続ＳＣＳＩ（ＳＡＳ）エキスパンダを動作させる方法であって、
前記エキスパンダの制御ユニットにより、前記エキスパンダのポートで受信された発見シリアル管理プロトコル（ＳＭＰ）要求を検出することと、
前記ＳＭＰ要求が、ＲＥＰＯＲＴ  ＳＥＬＦ−ＣＯＮＦＩＧＵＲＡＴＩＯＮ  ＳＴＡＴＵＳコマンドを含む場合、前記ＳＭＰ要求の検出に応答して、前記制御ユニットにより、メモリ上の前記ポートについてのルーティング属性をサブトラクティブ・ルーティングに設定することと
を含む方法。
【請求項９】
前記ＳＭＰ要求がＲＥＰＯＲＴ  ＳＥＬＦ−ＣＯＮＦＩＧＵＲＡＴＩＯＮ  ＳＴＡＴＵＳコマンドを含む場合、前記ＳＭＰ要求を受信したポートが、ＳＡＳイニシエータとの通信のために接続されているものと判断すること
をさらに含む、、請求項８に記載の方法。
【請求項１０】
前記エキスパンダに直接結合されたエキスパンダにＲＥＰＯＲＴ  ＳＥＬＦ−ＣＯＮＦＩＧＵＲＡＴＩＯＮ  ＳＴＡＴＵＳメッセージを送信することをさらに含む、請求項８に記載の方法。
【請求項１１】
前記エキスパンダにおいて、前記ＳＡＳエキスパンダの他のポートを介して、ＳＭＰ  ＩＤＥＮＴＩＦＹアドレス・フレームを伝搬することと、
前記制御ユニットにおいて、前記伝搬されたＳＭＰ  ＩＤＥＮＴＩＦＹアドレス・フレームに応答し、受信したＩＤＥＮＴＩＦＹアドレス・フレームに基づいて、前記他のポートについての前記ルーティング属性をテーブル・ルーティングに設定するべきか、またはダイレクト・ルーティングに設定するべきかを決定することと
をさらに含む、請求項８に記載の方法。
【請求項１２】
前記制御ユニットにおいて、前記受信したＩＤＥＮＴＩＦＹアドレス・フレームに基づいて、前記他のポートに結合されたＳＡＳデバイスがＳＡＳエキスパンダであるか、または端末装置であるかを決定することと、
前記ＳＡＳデバイスがエキスパンダである場合は、前記制御ユニットにより、前記他のポートについての前記ルーティング属性をテーブル・ルーティングに設定することと、
前記ＳＡＳデバイスが端末装置である場合は、前記制御ユニットにより、前記他のポートについての前記ルーティング属性をダイレクト・ルーティングに設定することと
をさらに含む、請求項１１に記載の方法。
【請求項１３】
前記制御ユニットにより、１つまたは複数のＩＤＥＮＴＩＦＹアドレス・フレームにおいて受信した情報に基づいて、ルーティング・テーブルをポピュレートすることと、
前記ルーティング・テーブルを調べることによって、テーブル・ルーティングに設定されたポートとの接続を確立することと
をさらに含む、請求項１１に記載の方法。
【請求項１４】
前記制御ユニットが、前記ＳＡＳエキスパンダの電源投入時であって、かつ前記ＳＭＰ要求の受信前に、前記ＳＡＳエキスパンダの全てのポートをテーブル・ルーティングに設定するようさらに動作可能である、請求項８に記載の方法。
【請求項１５】
プログラム命令を具現化する持続性コンピュータ可読メディアであって、前記プログラム命令が、プロセッサによって実行されたときに、関連するトランシーバとの複数の物理リンク（ＰＨＹ）を含み、前記ＰＨＹがポートを成すように構成されたシリアル接続ＳＣＳＩ（ＳＡＳ）エキスパンダを動作させる方法を実施するように動作可能であり、前記方法が、
前記エキスパンダの制御ユニットにより、前記エキスパンダのポートで受信された発見シリアル管理プロトコル（ＳＭＰ）要求を検出することと、
前記ＳＭＰ要求が、ＲＥＰＯＲＴ  ＳＥＬＦ−ＣＯＮＦＩＧＵＲＡＴＩＯＮ  ＳＴＡＴＵＳコマンドを含む場合、前記ＳＭＰ要求の検出に応答して、前記制御ユニットにより、メモリ上の前記ポートについてのルーティング属性をサブトラクティブ・ルーティングに設定することと
を含む、持続性コンピュータ可読メディア。
【請求項１６】
前記ＳＭＰ要求がＲＥＰＯＲＴ  ＳＥＬＦ−ＣＯＮＦＩＧＵＲＡＴＩＯＮ  ＳＴＡＴＵＳコマンドを含む場合、前記ＳＭＰ要求を受信したポートが、ＳＡＳイニシエータとの通信のために接続されているものと判断すること
をさらに含む、請求項１５に記載の持続性コンピュータ可読メディア。
【請求項１７】
前記方法が、
前記エキスパンダに直接結合されたエキスパンダにＲＥＰＯＲＴ  ＳＥＬＦ−ＣＯＮＦＩＧＵＲＡＴＩＯＮ  ＳＴＡＴＵＳメッセージを送信すること
をさらに含む、請求項１５に記載の持続性コンピュータ可読メディア。
【請求項１８】
前記方法が、
前記エキスパンダにおいて、前記ＳＡＳエキスパンダの他のポートを介して、ＳＭＰ  ＩＤＥＮＴＩＦＹアドレス・フレームを伝搬することと、
前記制御ユニットにおいて、前記伝搬されたＳＭＰ  ＩＤＥＮＴＩＦＹアドレス・フレームに応答し、受信したＩＤＥＮＴＩＦＹアドレス・フレームに基づいて、前記他のポートについての前記ルーティング属性をテーブル・ルーティングに設定するべきか、またはダイレクト・ルーティングに設定するべきかを決定することと
をさらに含む、請求項１５に記載の持続性コンピュータ可読メディア。
【請求項１９】
前記方法が、
前記制御ユニットにおいて、前記受信したＩＤＥＮＴＩＦＹアドレス・フレームに基づいて、前記他のポートに結合されたＳＡＳデバイスがＳＡＳエキスパンダであるか、または端末装置であるかを決定することと、
前記ＳＡＳデバイスがエキスパンダである場合は、前記制御ユニットにより、前記他のポートについての前記ルーティング属性をテーブル・ルーティングに設定することと、
前記ＳＡＳデバイスが端末装置である場合は、前記制御ユニットにより、前記他のポートについての前記ルーティング属性をダイレクト・ルーティングに設定することと
をさらに含む、請求項１８に記載の持続性コンピュータ可読メディア。
【請求項２０】
前記方法が、
前記制御ユニットにより、１つまたは複数のＩＤＥＮＴＩＦＹアドレス・フレームにおいて受信した情報に基づいて、ルーティング・テーブルをポピュレートすることと、
前記ルーティング・テーブルを調べることによって、テーブル・ルーティングに設定されたポートとの接続を確立することと
をさらに含む、請求項１８に記載の持続性コンピュータ可読メディア。